(57)【要約】【課題】  水平に載置された遊技盤に植設されている釘が予め定められた傾斜角度及び傾斜方向になっているか否かを簡易に測定できるようにする。【解決手段】  釘の軸部を密接させる凹部１５ａが形成された釘当接部材１５と、釘当接部材１５の上方に支持され器内に液体と気泡３２が収容された全方向型の水準器１７とを備え、水準器１７は、釘当接部材１５の凹部１５ａ内周面の円弧によって形成される仮想円柱の中心線と直交するように配置されていることを特徴としている。【選択図】  図３
2017080094.tif 000002
【特許請求の範囲】
【請求項１】
水平に載置した遊技盤に植設された釘の盤面に対する傾斜角度及び傾斜方向を測定する釘傾斜測定装置であって、
前記釘の軸部を密接させる凹部が形成された釘当接部材と、前記釘当接部材の上方に支持され器内に液体と気泡が収容された全方向型の水準器とを備え、
前記水準器は、前記釘当接部材の凹部内周面の円弧によって形成される仮想円柱の中心線と直交するように配置されていることを特徴とする釘傾斜測定装置。
【請求項２】
前記釘当接部材に対し開閉可能になるように挟着手段を設け、該挟着手段は付勢手段によって該釘当接部材に対し閉じる方向に付勢されていることを特徴とする請求項１記載の釘傾斜測定装置。
【発明の詳細な説明】
【技術分野】
【０００１】
本発明は、水平に載置した状態の遊技盤に植設された遊技釘の傾斜角度及び傾斜方向を測定する遊技機の釘傾斜測定装置に関するものである。
【背景技術】
【０００２】
遊技機の代表例であるパチンコ遊技機の遊技盤に植設される釘は、その傾斜角度及び傾斜方向をパチンコ遊技機メーカーが予め定め、通信保安協会の型式試験に適合する必要がある。また、パチンコ遊技機がホールに納品された後は、遊技盤の釘の傾斜角度及び傾斜方向を各ホールが変更することは基本的に認められていない。そのため、遊技盤に植設された釘の傾斜角度及び傾斜方向が、予め定められた適正な状態にあるか否かを簡易に測定し得る装置の存在が望まれている。
【０００３】
この点、例えば、特許文献１及び２に示されているように、遊技盤に植設された釘の傾斜角度を測定する器具は種々存在するものの、同時に釘の傾斜方向についても簡易に測定し得るものについては、現存していない。
【先行技術文献】
【特許文献】
【０００４】
【特許文献１】特開平９−９４３２６号公報
【特許文献２】特開２００６−３４９９９号公報
【発明の概要】
【発明が解決しようとする課題】
【０００５】
ところで、近時、パチンコ遊技機メーカーでは、パチンコ遊技機そのものを販売するのではなく、遊技盤のみを販売するということも行われるようになってきている。これは、買い手であるホールが既にパチンコ遊技機本体を所有しているのであれば、遊技盤のみを交換することでパチンコ遊技機として使用できるため、遊技盤のみを購入して、コスト削減を図りたいというニーズがあったためである。従って、メーカーが遊技盤のみを販売する場合、メーカーとしてはパチンコ遊技機に装着する前の遊技盤を水平に載置した状態で釘の傾斜角度及び傾斜方向を測定することができれば便利である。また、遊技盤が搬入されたホールでも同様のことがいえる。そこで、本発明は、上記課題を解決すべく、遊技盤を水平に載置した状態で、遊技盤に植設された釘の傾斜角度及び傾斜方向が予め定められた適正な状態にあるか否かを簡易に測定し得る装置を提供することを目的としている。
【課題を解決するための手段】
【０００６】
かかる目的を達成するため本発明は、水平に載置した遊技盤に植設された釘の盤面に対する傾斜角度及び傾斜方向を測定する釘傾斜測定装置であって、前記釘の軸部を密接させる凹部が形成された釘当接部材と、前記釘当接部材の上方に支持され器内に液体と気泡が収容された全方向型の水準器とを備え、前記水準器は、前記釘当接部材の凹部内周面の円弧によって形成される仮想円柱の中心線と直交するように配置されていることを特徴としている。
【０００７】
また、本発明に係る釘傾斜測定装置において、前記釘当接部材に対し開閉可能になるように挟着手段を設け、該挟着手段は付勢手段によって釘当接部材に対し閉じる方向に付勢されているようにすると利便性が増すことになる。すなわち、挟着手段を設けると、釘の測定において、釘傾斜測定装置が釘に固定され、釘傾斜測定装置を動かないように手で支えておく必要がなくなる。そのため、釘の傾斜の測定がきわめて簡単になし得ることになる。
【発明の効果】
【０００８】
本発明に係る釘傾斜測定装置によれば、パチンコ遊技機に装着されていない状態の遊技盤を水平に載置した状態で、遊技盤に植設された釘が予め定められた傾斜角度及び傾斜方向になっているか否かを簡易に測定することができる。
【図面の簡単な説明】
【０００９】
【図１】遊技盤の正面図。
【図２】釘傾斜測定装置の斜視図。
【図３】釘傾斜測定装置の使用方法を示す正面図。
【図４】釘傾斜測定装置の平面図。
【図５】図４のＢ−Ｂ断面図。
【発明を実施するための形態】
【００１０】
以下、本発明に係る釘傾斜測定装置の実施形態を図面に基づき説明する。なお、本発明に係る釘傾斜測定装置は、パチンコ遊技機に装着されていない遊技盤における釘を測定対象にしており、遊技盤を水平に載置した状態で遊技盤に植設された釘の傾斜角度及び傾斜方向を測定するものである。ここで、釘傾斜測定装置の説明に先立ち、本発明の計測対象である多数の釘が植設された遊技盤について説明しておく。図１は遊技盤の正面図である。
【００１１】
前記遊技盤１には、図１に示すように、その前面に発射された遊技球を誘導する内側・外側ガイドレール２ａ，２ｂがほぼ円形状に配設され、該内側・外側ガイドレール２ａ，２ｂに囲まれた部分が遊技領域３になっている。そして、遊技領域３の中央には、文字、数字などの図柄を変動表示する表示部を備えた可変表示装置４が装着され、その直下に遊技球が入賞すると図柄を変動させる始動入賞口５が配設されている。また、始動入賞口５の直下には電動チューリップ６が配設されており、さらにその両側には、一般入賞口７ａ，７ｂ，７ｃ，７ｄが配設されている。また、電動チューリップ６の下方には、可変表示装置４の表示部に表示された図柄が停止し、その停止した図柄が特定の図柄（例えば、「７７７」）に揃った場合、一定の条件の下で一度に多くの入賞球が得られる入賞装置８が装着されている。また、可変表示装置４の中央よりやや上側の左側に通過チャッカー９が、可変表示装置４の下方両側には、遊技球の流下方向を変更させる風車１０，１０が回転自在に取り付けられており、さらに、遊技領域３の最下端には遊技領域３に打ち込まれた遊技球のうち、いずれの入賞口にも入賞しなかった遊技球をパチンコ遊技機の外部に排出するためのアウト球口１１が配設されている。そして、遊技領域３のうち、前記した装置等が設けられていない領域に多数の釘が植設されている。
【００１２】
ところで、前記のとおり、遊技盤１には、多数の釘が植設されて遊技盤１に突出しているが、これらの釘は、原則として遊技盤１に対し略垂直に打ち込まれている。もっとも、始動入賞口５や一般入賞口７ａ，７ｂ，７ｃ，７ｄなどの近辺の釘については、傾斜させて植設されるものがある。そして、釘を傾斜させる場合には、その傾斜角度及び傾斜方向を遊技機メーカーが予め定め、通信保安協会の型式試験に適合する必要がある。例えば、図１に示す一般入賞口７ａの上方に位置する釘Ａは１０時の方向（遊技盤の正面から見て左やや上方向）へ５度、釘Ｂは３時の方向（遊技盤の正面から見て右方向）へ５度傾斜させ、始動入賞口５の上方に位置する釘Ｃは１０時の方向へ２度、釘Ｄは２時の方向（遊技盤の正面から見て右やや上方向）へ２度傾斜させるとした場合、これらの傾斜を予め通信保安協会に届け出て、型式試験に適合する必要があり、また、型式試験に適合した傾斜角度及び傾斜方向は、以後、そのままの状態にしておくことが原則となっている。従って、遊技盤１に植設された釘の傾斜角度及び傾斜方向が予め定めたとおりになっているかをメーカーがホール等に遊技盤を納品する前、あるいは、遊技盤がホールに納入されてパチンコ遊技機本体に装着される前などに計測し確認することが必要になってくる。そのため、本発明に係る釘傾斜測定装置が使用されることになる。
【００１３】
次に、この釘傾斜測定装置の構成について図２乃至図５に基づいて説明する。図２は釘傾斜測定装置の斜視図、図３は釘傾斜測定装置の使用方法を示す正面図、図４は釘傾斜測定装置の平面図、図５は図４のＢ−Ｂ断面図である。
【００１４】
釘傾斜測定装置は、遊技盤１に植設された釘の軸部を密接させる凹部が形成された釘当接部材１５と、釘当接部材１５に対向するように設けられた釘挟着部材（挟着手段）１６と、釘当接部材１５の上方に配置された全方向型の水準器１７と、水準器１７を釘当接部材１５に対して所定位置で支持する支持手段１８と、釘挟着部材１６を釘当接部材１５に対して開く際に使用する把持部材（挟着手段）１９と、釘挟着部材１６を釘当接部材１５に対して閉じる方向に付勢する付勢手段２０とによって概略構成されている。
【００１５】
前記釘当接部材１５及び前記釘挟着部材１６は、ともに横断面角形の同一形状の棒状の部材であり、これらは互いに対向するように配置されている。そして、図３（ｃ）に示されているように、釘当接部材１５と釘挟着部材１６のそれぞれの下端部内側面（互いに対向する側の面）には、遊技盤１に植設された釘の軸部Ｓを当接させるための円弧状の凹部１５ａ，１６ａが形成されている。この凹部１５ａ，１６ａの内周面は、釘の軸部Ｓの外周の一部が密接するようになっており、釘当接部材１５と釘挟着部材１６に釘の軸部Ｓが挟まれると、釘の軸部Ｓの外周面が釘当接部材１５と釘挟着部材１６にほぼ包み込まれるように嵌合することになる。さらに、釘当接部材１５と釘挟着部材１６の中間部よりやや下側の内側面であって、凹部１５ａ，１６ａの上部には、凹状に窪ませた釘頭収容部１５ｂ，１６ｂが形成されており、釘の軸部Ｓが釘当接部材１５と釘挟着部材１６に挟まれると、図３（ｂ）に示されているように、釘の頭部Ｈが釘頭収容部１５ｂ，１６ｂの間に位置することになる。
【００１６】
前記釘当接部材１５の上部には、水準器１７を釘当接部材１５に対して所定位置で支持するための支持手段（支持部材）１８が設けられている。この支持手段１８は、側面視略Ｌ字型の支持板２１と、支持板２１の上部内側面に固着されたやや厚みをもった側面視略直角三角形の固定部材２２と、固定部材２２の上面に固着された円板状の天板２３とによって形成されている。これをさらに具体的に説明すると、支持板２１は、上下方向に所定の長さを有する縦板部２１ａと、この縦板部２１ａの下端を直角に屈曲させて形成した取付片部２１ｂとからなり、さらに、縦板部２１ａの下端部両側のそれぞれに内側に延設された軸受片部２１ｃ，２１ｃが形成されている。また、軸受片部２１ｃ，２１ｃの先端部には、軸挿通孔が穿設されている。さらに、縦板部２１ａの略中央部に矩形状の開口が開設されており、その一側に内側へ切り起こしたばね掛け片２１ｄが形成されている。また、固定部材２２は、その直交する２つの面の一方が支持板２１の縦板部２１ａの内側に固着され、他方が天板２３の下面に固着されている。なお、釘当接部材１５は、支持板２１の取付片部２１ｂの底面中央部に配置され、２つのＬ型金具２４，２４を介して取付片部２１ｂに取り付けられている。すなわち、Ｌ型金具２４の一方の片が釘当接部材１５の上部に当接していて、ここに２本のネジが螺着され、他方の片が支持板２１の取付片部２１ｂに当接していて、ここに２本のネジが螺着されている。
【００１７】
前記釘挟着部材１６の上部には、該釘挟着部材１６を釘当接部材１５に対して開くように移動させるための把持部材（挟着手段）１９が設けられている。この把持部材１９は、側面視略Ｌ字型の部材で、上下方向の長さが前記支持板２１の縦板部２１ａよりも短い把持板１９ａと、この把持板１９ａの下端を直角に屈曲させて形成した取付片部１９ｂとからなり、さらに、把持板１９ａの下端部両側のそれぞれに内側へ延設した軸受片部１９ｃ，１９ｃが形成されている。また、軸受片部１９ｃ，１９ｃの先端部には、軸挿通孔が穿設されている。さらに、把持板１９ａの略中央部に矩形状の開口が開設されており、その一側に内側へ切り起こしたばね掛け片１９ｄが形成されている。なお、釘挟着部材１６は、把持部材１９の取付片部１９ｂの底面中央部に配置され、２つのＬ型金具２５，２５を介して把持部材１９の取付片部１９ｂに取り付けられている。すなわち、Ｌ型金具２５の一方の片が釘挟着部材１６の上部に当接していて、ここに２本のネジが螺着され、他方の片が把持部材１９の取付片部１９ｂに当接していて、ここに２本のネジが螺着されている。
【００１８】
前記支持板２１と前記把持部材１９は互いに対向するように配置されている。また、支持板２１の軸受片部２１ｃ，２１ｃ間の内法は、把持部材１９の軸受片部１９ｃ，１９ｃ間の内法よりも若干狭くなっており、支持板２１の軸受片部２１ｃ，２１ｃが把持部材１９の軸受片部１９ｃ，１９ｃの内側に収まるように重合されている。そして、支持板２１の軸受片部２１ｃ，２１ｃに穿設されている軸挿通孔と把持部材１９の軸受片部１９ｃ，１９ｃに穿設されている軸挿通孔に軸２６が挿通されてこれらが軸支されている。さらに、軸２６には、付勢手段としてのねじりバネ２０が装着されており、ねじりバネ２０の一端が支持板２１の縦板部２１ａのばね掛け片２１ｄに掛止されており、ねじりバネ２０の他端が把持部材１９の把持板１９ａのばね掛け片１９ｄに掛止されている。このねじりバネ２０は、支持板２１の縦板部２１ａと把持板１９ａを互いに離間する方向に付勢しており、把持板１９ａを把持して接近させると、ねじりバネ２０の付勢力に抗して釘挟着部材１６が開き、把持を緩めるとねじりバネ２０の付勢力により把持板１９ａが支持板２１の縦板部２１ａから離間して釘挟着部材１６が釘当接部材１５に対して閉じることになる。
【００１９】
前記水準器１７は、支持手段１８の天板２３上に載置される横断面円形状の基体３０と、この基体３０に固定されている該基体３０よりも一回り小さい横断面円形状の透明容器３１とからなっており、この透明容器３１内には、液体及び気泡３２が内封されている。また、透明容器３１の上部内面は、図５に示されているように円弧状になっており、内封されている気泡３２が３６０°の範囲で移動するようになっている。すなわち、この水準器１７は、気泡３２の位置によって、３６０°の全方向の範囲における傾きが確認できるようになっている。また、透明容器３１の上面には、傾斜角度を示す角度表示線３３が同心状に表示されている。すなわち、透明容器３１上面の中心から７つの同心円が表示されており、この同心円の半径が傾斜角度を１°刻みで表示している。具体的には、もっとも内側の円の角度表示線３３が１°の傾きを示し、もっとも外側の円の角度表示線３３が７°の傾きを示している。さらに、透明容器３１の上面には、傾斜方向を示す８本の方向表示線３４が所定間隔をもって放射状に表示されている。すなわち、この方向表示線３４によって、遊技盤１に植設された釘が何時の方向に傾斜しているのかを確認することができるようになっている。なお、水準器１７は、釘当接部材１５の凹部１５ａ内周面の円弧によって形成される仮想円柱の中心線と直交するように配置されている。従って、釘当接部材１５の凹部１５ａを釘の軸部に密接させると、水準器１７の気泡３２が釘の傾斜方向と傾斜角度を示すことになる。
【００２０】
次に、上記のように構成された釘傾斜測定装置の使用方法について図１及び図３を参照しながら説明する。ここで、先にも述べたとおり、遊技盤１に植設されている多数の釘の中には傾斜させて植設されているものがあるが、これらの釘の傾斜角度及び傾斜方向は、メーカーが予め定め、通信保安協会の型式試験に適合する必要がある。また、型式試験に適合した傾斜角度及び傾斜方向は、以後、そのままの状態にしておくことが原則となっている。ここで、図１に示す一般入賞口７ａの上方に位置する釘Ｂを例にして、釘傾斜測定装置による具体的な測定手順を説明する。なお、ここでは、釘Ｂについて、例えば、３時の方向（遊技盤の正面から見て右方向）へ５度傾斜させるというように定めていたとする。まず、遊技盤１をテーブル等のような適度な高さのある場所に予め水平に載置しておく。次に、測定対象である釘Ｂに釘傾斜測定装置を近づけ、図３（ａ）に示されているように、釘挟着部材１６を釘当接部材１５から離れるように開放する。すなわち、把持部材１９の把持板１９ａを指で内側へ押し込み、ねじりバネ２０の付勢に抗して釘挟着部材１６を釘当接部材１５から離れる方向へ開放させる。そして、測定しようとしている釘Ｂの間に開放している状態の釘当接部材１５と釘挟着部材１６を位置させる。次いで、図３（ｂ）に示されているように把持部材１９の把持板１９ａから指を外して釘挟着部材１６を釘当接部材１５に対して閉じる方向へ移動させる。これにより、図３（ｃ）に示されているように釘Ｂの軸部Ｓ外周が、釘当接部材１５の凹部１５ａと釘挟着部材１６の凹部１６ａに密接した状態で包み込まれ、また、ねじりバネ２０の付勢力によって凹部１５ａと凹部１６ａに挟持された状態が維持される。後は、釘傾斜測定装置の上方から水準器１７の気泡３２がどこに位置しているかを確認すれば良い。ここで、先にも述べたように、水準器１７は、釘当接部材１５の凹部１５ａ内周面の円弧によって形成される仮想円柱の中心線と直交するように配置されている。従って、水準器１７の気泡３２は、釘当接部材１５の凹部１５ａと釘挟着部材１６の凹部１６ａに密接した状態で包み込まれている釘Ｂの傾斜方向と傾斜角度をそのまま表示することになる。図４は、釘Ｂの測定結果を示すもので、気泡３２の中心が水準器１７の中心から５つ外側の円を構成する線上（角度表示線３３）に位置しているので、釘Ｂが５°の角度で傾斜していることを確認できる。また、気泡３２の中心が左側の横線上（方向表示線３４）に位置しているので、釘Ｂがその位置と逆側の３時の方向に傾斜していることを確認できる。従って、釘Ｂは、メーカーによって予め定められた５°の角度で３時の方向に傾斜していることが明らかになる。他方、気泡３２が図４に示されている位置にない場合には、メーカーによって予め定められた角度や傾斜方向になっていないことを確認できるので、釘の角度や傾斜方向を適宜修正しながら、釘傾斜測定装置によって再度確認すればよい。
【００２１】
なお、上記実施の形態においては、釘挟着部材と把持部材とからなる挟着手段を設けた例を示したが、この挟着手段を必ずしも設ける必要はない。すなわち、挟着手段を設けなくても、釘当接部材の凹部に釘が密接するようになっていれば、本発明の目的を達成することができる。また、上記実施の形態においては、水準器を釘当接部材に対して所定位置で支持する支持手段を設けた例を示したが、この支持手段を必ずしも設ける必要はない。すなわち、釘当接部材の上方に直接水準器を固定しても、本発明の目的を達成することができる。さらに、上記の実施の形態において、挟着手段を付勢する手段として、ねじりバネを利用した例を示したがこれに限られるわけではなく、板バネなどのその他のバネでも良いし、バネ以外のものでも良い。
【符号の説明】
【００２２】
１      遊技盤
１５    釘当接部材
１５ａ  凹部
１６    釘挟着部材（挟着手段）
１６ａ  凹部
１９    把持部材（挟着手段）
２０    ねじりバネ（付勢手段）
１７    水準器
３２    気泡
【図１】
2017080094.tif 000003
【図２】
2017080094.tif 000004
【図３】
2017080094.tif 000005
【図４】
2017080094.tif 000006
【図５】
2017080094.tif 000007